(57)【要約】【課題】  ２１６０ライン以上の超高精細度プラズマディスプレイパネルであっても、十分な輝度で駆動することができるプラズマディスプレイパネルの駆動方法及びプラズマディスプレイ装置を提供する。【解決手段】  対をなす走査電極（ＳＣ）及び維持電極（ＳＵ）からなる表示電極対を複数のグループに分け、表示電極対に印加する電圧パルス列の位相をグループ間で異ならせ、電圧パルス列の位相が進んでいる順にグループを選択することを繰り返し、グループを選択する度に選択したグループにおいて１または複数の表示電極対に対応するセルラインに対して１ライン書込み処理を行い、１ライン書込み処理を行ったセルラインに対して続けて１ライン維持処理を行う。【選択図】  図３
2009175532.tif 000002
【特許請求の範囲】
【請求項１】
対をなす走査電極及び維持電極からなる複数の表示電極対と複数のデータ電極とが間隙を有して交差するように配設され、前記表示電極対と前記データ電極との間隙からなる放電空間と、前記放電空間となる前記間隙を形成する前記表示電極対及び前記データ電極とを有する複数の放電セルを有したプラズマディスプレイパネルの駆動方法であって、
前記複数の表示電極対を第１〜第Ｎ（Ｎは複数）のグループに分け、
前記表示電極対に対応する複数の前記放電セルからなる各々のセルラインに対し、点灯させるべき前記放電セルに書込み放電を生じさせる１ライン書込み処理と、前記書込み放電を生じさせた前記放電セルに維持放電を生じさせる１ライン維持処理と、前記維持放電を停止させるために前記維持放電を生じさせた前記放電セルに消去放電を生じさせる１ライン維持終了処理とを続けて行う処理であって、それぞれ予め定められた異なる輝度重みに応じた前記１ライン維持処理を有する１番目〜Ｍ番目（Ｍは複数）の１ライン書込み維持処理を含む１ライン表示処理を行い、
全ての前記セルラインに対するＰ番目（Ｐは１〜Ｍ−１の整数）の１ライン書込み維持処理に含まれる前記１ライン書込み処理が終了した後で、（Ｐ＋１）番目の１ライン書込み維持処理に含まれる前記１ライン書込み処理を開始し、全ての前記セルラインに対して前記１ライン表示処理を行うことにより１フィールドの画像表示を行い、
前記１番目〜Ｍ番目のそれぞれの前記１ライン書込み維持処理を行う間、前記１ライン書込み維持処理の対象となる前記セルラインに対応する前記表示電極対に、正電圧と負電圧とに切り替わる交番極性の電圧パルス列を印加するようにし、
前記１ライン書込み処理は、この１ライン書込み処理の対象となる前記セルラインに対応する前記走査電極に走査選択電位を与えるとともに、点灯させるべき前記放電セルの前記データ電極に書込み電位を与えることにより前記書込み放電を生じさせる処理であって、前記走査電極に走査選択電位を与えるために前記電圧パルスの前記正電圧または前記負電圧に第１の所定電圧が重畳されてなる走査電圧を前記表示電極対に印加し、前記走査電圧の印加と同時に前記書込み電位を与えることにより行い、
前記１ライン維持処理は、この１ライン維持処理が含まれる前記１ライン書込み維持処理に対して予め定められた輝度重みに応じた数の前記電圧パルスを前記表示電極対に印加することにより行い、
前記１ライン維持終了処理は、前記電圧パルスの前記正電圧または前記負電圧に第２の所定電圧が重畳されてなる消去電圧を前記表示電極対に印加することにより行い、
前記第１のグループに対し、第Ｋ（Ｋは２〜Ｎの整数）のグループの前記表示電極対に印加する前記電圧パルス列の位相をそれぞれ異なる角度遅らせるようにし、
前記１ライン書込み処理を各々の前記セルラインに対して異なるタイミングで行い、前記表示電極対に印加される前記電圧パルス列の位相が進んでいるグループの順に各々の前記グループを選択することを繰り返し、各々の前記グループを選択する度に選択した前記グループ内の１または複数の前記表示電極対に対応する前記セルラインに対して前記１ライン書込み処理を行う、プラズマディスプレイパネルの駆動方法。
【請求項２】
各々の前記グループを選択する度に選択した前記グループ内の複数の前記表示電極対に対応する複数のセルラインに対して、前記グループ内の複数の前記表示電極対に同じタイミングで印加される前記電圧パルスの前記正電圧または前記負電圧の印加期間内に前記１ライン書込み処理を行う、請求項１に記載のプラズマディスプレイパネルの駆動方法。
【請求項３】
前記第１〜第Ｎのグループのうちの一のグループの前記表示電極対に対応する前記セルラインに対する前記１ライン書込み処理を行う期間が、他のいずれかのグループの前記表示電極対に印加される前記電圧パルスの立上りまたは立下り期間と重なる、請求項１に記載のプラズマディスプレイパネルの駆動方法。
【請求項４】
前記第１のグループに対し、前記第Ｋのグループの前記表示電極対に印加する前記電圧パルス列の位相を[３６０×（Ｋ−１）／Ｎ]度遅らせる、請求項１に記載のプラズマディスプレイパネルの駆動方法。
【請求項５】
前記グループの個数が２個〜４個（Ｎ＝２〜４）である、請求項４に記載のプラズマディスプレイパネルの駆動方法。
【請求項６】
前記１フィールドの画像表示を行う期間の間、前記第１〜第Ｎの各々のグループにおいて、前記グループ内の全ての前記表示電極対に、一部が前記１ライン書込み維持処理を行う間に印加する前記電圧パルス列となる一定周期の共通電圧パルス列を印加する、請求項１に記載のプラズマディスプレイパネルの駆動方法。
【請求項７】
前記１フィールドの画像表示を行う期間の直前に、全ての前記放電セル内部を書込み放電が可能な帯電状態にするための初期化放電を発生させる初期化期間を有する、請求項１に記載のプラズマディスプレイパネルの駆動方法。
【請求項８】
前記１番目〜前記Ｍ番目の１ライン書込み維持処理のうち、前記Ｍ番目の１ライン書込み維持処理に対する輝度重みが最小である、請求項１に記載のプラズマディスプレイパネルの駆動方法。
【請求項９】
対をなす走査電極及び維持電極からなる複数の表示電極対と複数のデータ電極とが間隙を有して交差するように配設され、前記表示電極対と前記データ電極との間隙からなる放電空間と、前記放電空間となる前記間隙を形成する前記表示電極対及び前記データ電極とを有する複数の放電セルを有したプラズマディスプレイパネルと、前記プラズマディスプレイパネルを駆動する駆動装置とを備え、
前記駆動装置は、
前記複数の表示電極対を第１〜第Ｎ（Ｎは複数）のグループに分け、
前記表示電極対に対応する複数の前記放電セルからなる各々のセルラインに対し、点灯させるべき前記放電セルに書込み放電を生じさせる１ライン書込み処理と、前記書込み放電を生じさせた前記放電セルに維持放電を生じさせる１ライン維持処理と、前記維持放電を停止させるために前記維持放電を生じさせた前記放電セルに消去放電を生じさせる１ライン維持終了処理とを続けて行う処理であって、それぞれ予め定められた異なる輝度重みに応じた前記１ライン維持処理を有する１番目〜Ｍ番目（Ｍは複数）の１ライン書込み維持処理を含む１ライン表示処理を行い、
全ての前記セルラインに対するＰ番目（Ｐは１〜Ｍ−１の整数）の１ライン書込み維持処理に含まれる前記１ライン書込み処理が終了した後で、（Ｐ＋１）番目の１ライン書込み維持処理に含まれる前記１ライン書込み処理を開始し、全ての前記セルラインに対して前記１ライン表示処理を行うことにより１フィールドの画像表示を行い、
前記１番目〜Ｍ番目のそれぞれの前記１ライン書込み維持処理を行う間、前記１ライン書込み維持処理の対象となる前記セルラインに対応する前記表示電極対に、正電圧と負電圧とに切り替わる交番極性の電圧パルス列を印加するようにし、
前記１ライン書込み処理は、この１ライン書込み処理の対象となる前記セルラインに対応する前記走査電極に走査選択電位を与えるとともに、点灯させるべき前記放電セルの前記データ電極に書込み電位を与えることにより前記書込み放電を生じさせる処理であって、前記走査電極に走査選択電位を与えるために前記電圧パルスの前記正電圧または前記負電圧に第１の所定電圧が重畳されてなる走査電圧を前記表示電極対に印加し、前記走査電圧の印加と同時に前記書込み電位を与えることにより行い、
前記１ライン維持処理は、この１ライン維持処理が含まれる前記１ライン書込み維持処理に対して予め定められた輝度重みに応じた数の前記電圧パルスを前記表示電極対に印加することにより行い、
前記１ライン維持終了処理は、前記電圧パルスの前記正電圧または前記負電圧に第２の所定電圧が重畳されてなる消去電圧を前記表示電極対に印加することにより行い、
前記第１のグループに対し、第Ｋ（Ｋは２〜Ｎの整数）のグループの前記表示電極対に印加する前記電圧パルス列の位相をそれぞれ異なる角度遅らせるようにし、
前記１ライン書込み処理を各々の前記セルラインに対して異なるタイミングで行い、前記表示電極対に印加される前記電圧パルス列の位相が進んでいるグループの順に各々の前記グループを選択することを繰り返し、各々の前記グループを選択する度に選択した前記グループ内の１または複数の前記表示電極対に対応する前記セルラインに対して前記１ライン書込み処理を行うように構成された、プラズマディスプレイ装置。
【請求項１０】
前記駆動装置は、各々の前記グループを選択する度に選択した前記グループ内の複数の前記表示電極対に対応する複数のセルラインに対して、前記グループ内の複数の前記表示電極対に同じタイミングで印加される前記電圧パルスの前記正電圧または前記負電圧の印加期間内に前記１ライン書込み処理を行うように構成された、請求項９に記載のプラズマディスプレイ装置。
【請求項１１】
前記駆動装置は、前記第１〜第Ｎのグループのうちの一のグループの前記表示電極対に対応する前記セルラインに対する前記１ライン書込み処理を行う期間が、他のいずれかのグループの前記表示電極対に印加される前記電圧パルスの立上りまたは立下り期間と重なるように構成された、請求項９に記載のプラズマディスプレイ装置。
【請求項１２】
前記駆動装置は、前記第１のグループに対し、前記第Ｋのグループの前記表示電極対に印加する前記電圧パルス列の位相を[３６０×（Ｋ−１）／Ｎ]度遅らせるように構成された、請求項９に記載のプラズマディスプレイ装置。
【請求項１３】
前記グループの個数が２個〜４個（Ｎ＝２〜４）である、請求項１２に記載のプラズマディスプレイ装置。
【請求項１４】
前記駆動装置は、前記１フィールドの画像表示を行う期間の間、前記第１〜第Ｎの各々のグループにおいて、前記グループ内の全ての前記表示電極対に、一部が前記１ライン書込み維持処理を行う間に印加する前記電圧パルス列となる一定周期の共通電圧パルス列を印加するように構成された、請求項９に記載のプラズマディスプレイ装置。
【請求項１５】
前記駆動装置は、前記１フィールドの画像表示を行う期間の直前に、全ての前記放電セル内部を書込み放電が可能な帯電状態にするための初期化放電を発生させる初期化期間を有するように構成された、請求項９に記載のプラズマディスプレイ装置。
【請求項１６】
前記１番目〜前記Ｍ番目の１ライン書込み維持処理のうち、前記Ｍ番目の１ライン書込み維持処理に対する輝度重みが最小である、請求項９に記載のプラズマディスプレイ装置。
【発明の詳細な説明】
【技術分野】
【０００１】
本発明は、交流面放電型のプラズマディスプレイパネルの駆動方法及びプラズマディスプレイ装置に関する。
【背景技術】
【０００２】
プラズマディスプレイパネル（以下、「ＰＤＰ」という）として代表的な交流面放電型ＰＤＰは、対向配置された前面基板と背面基板との間に多数の放電セルが形成されている。
【０００３】
前面基板には走査電極と維持電極とからなる表示電極対が互いに平行に複数対形成され、背面基板にはデータ電極が平行に複数形成されている。そして、表示電極対とデータ電極とが立体交差するように前面基板と背面基板とが対向配置されて密封され、内部の放電空間には放電ガスが封入されている。ここで１つの表示電極対と１つのデータ電極とが、放電空間を挟んで交差する領域およびその近傍領域が画像表示に寄与する１つの放電セルとなる。
【０００４】
ＰＤＰを駆動する方法としては、１フィールドを複数のサブフィールドに分割した上で、発光させるサブフィールドの組み合わせによって階調表示を行うサブフィールド法が用いられる。各サブフィールドは、初期化期間、書込み期間および維持期間を有する。初期化期間では初期化放電を発生し、続く書込み動作に必要な壁電荷を形成する。書込み期間では、表示する画像に応じて選択的に放電セルで書込み放電を発生し壁電荷を形成する。そして維持期間では、走査電極と維持電極とからなる表示電極対に交互に維持パルスを与えて維持放電を発生させ、対応する放電セルの蛍光体層を発光させることにより画像表示を行う。
【０００５】
サブフィールド法の中でも、書込み期間と維持期間とを時間的に完全に分離した、書込み・維持分離方式（ＡＤＳ方式）が一般的に用いられている。ＡＤＳ方式は、書込み放電を行う放電セルと維持放電を行う放電セルとが共存するタイミングが存在しないので、書込み期間には書込み放電に最適な条件で、維持期間には維持放電に最適な条件でＰＤＰを駆動することができる。そのため放電制御が比較的簡単であり、またＰＤＰの駆動マージンも大きく設定することができる。
【０００６】
その反面、ＡＤＳ方式では、書込み期間を除く期間に維持期間を設定するため、ＰＤＰの高精細度化等により書込み期間に要する時間が長くなると、維持放電させるための時間が十分確保できなくなるという問題があった。
【０００７】
このような問題を解決するために、書込み・維持同時駆動方式が提案されている（例えば、非特許文献１参照）。書込み・維持同時駆動方式では、各ライン毎に、書込み放電終了後すぐに維持放電を開始する。このように、他のラインで書込み放電を行っている時間でも維持放電を行うことで、維持放電させるための時間を確保することができ、必要な輝度で発光させることができる。
【非特許文献１】（信学技報：TECHNICAL REPORT OF EICE. EID96-71, ED96-149, SDM96-175 (1997-01), pp-19-24 ）
【発明の開示】
【発明が解決しようとする課題】
【０００８】
しかしながら、このような方法によっても、例えば２１６０ラインあるいは４３２０ラインといった超高精細度プラズマディスプレイパネルを駆動する場合には、全てのラインに対して書込み放電を行うの要する時間が長くなり、維持放電させるための時間が確保できなくなり、十分な輝度で駆動することは難しい。
【０００９】
本発明は、上記のような課題を解決するためになされたもので、２１６０ライン以上の超高精細度プラズマディスプレイパネルであっても、維持放電させるための時間を十分に確保することができ、十分な輝度で駆動することができるプラズマディスプレイパネルの駆動方法及びプラズマディスプレイ装置を提供することを目的とする。
【課題を解決するための手段】
【００１０】
上記目的を達成するために本発明のプラズマディスプレイパネルの駆動方法は、対をなす走査電極及び維持電極からなる複数の表示電極対と複数のデータ電極とが間隙を有して交差するように配設され、前記表示電極対と前記データ電極との間隙からなる放電空間と、前記放電空間となる前記間隙を形成する前記表示電極対及び前記データ電極とを有する複数の放電セルを有したプラズマディスプレイパネルの駆動方法であって、前記複数の表示電極対を第１〜第Ｎ（Ｎは複数）のグループに分け、前記表示電極対に対応する複数の前記放電セルからなる各々のセルラインに対し、点灯させるべき前記放電セルに書込み放電を生じさせる１ライン書込み処理と、前記書込み放電を生じさせた前記放電セルに維持放電を生じさせる１ライン維持処理と、前記維持放電を停止させるために前記維持放電を生じさせた前記放電セルに消去放電を生じさせる１ライン維持終了処理とを続けて行う処理であって、それぞれ予め定められた異なる輝度重みに応じた前記１ライン維持処理を有する１番目〜Ｍ番目（Ｍは複数）の１ライン書込み維持処理を含む１ライン表示処理を行い、全ての前記セルラインに対するＰ番目（Ｐは１〜Ｍ−１の整数）の１ライン書込み維持処理に含まれる前記１ライン書込み処理が終了した後で、（Ｐ＋１）番目の１ライン書込み維持処理に含まれる前記１ライン書込み処理を開始し、全ての前記セルラインに対して前記１ライン表示処理を行うことにより１フィールドの画像表示を行い、前記１番目〜Ｍ番目のそれぞれの前記１ライン書込み維持処理を行う間、前記１ライン書込み維持処理の対象となる前記セルラインに対応する前記表示電極対に、正電圧と負電圧とに切り替わる交番極性の電圧パルス列を印加するようにし、前記１ライン書込み処理は、この１ライン書込み処理の対象となる前記セルラインに対応する前記走査電極に走査選択電位を与えるとともに、点灯させるべき前記放電セルの前記データ電極に書込み電位を与えることにより前記書込み放電を生じさせる処理であって、前記走査電極に走査選択電位を与えるために前記電圧パルスの前記正電圧または前記負電圧に第１の所定電圧が重畳されてなる走査電圧を前記表示電極対に印加し、前記走査電圧の印加と同時に前記書込み電位を与えることにより行い、前記１ライン維持処理は、この１ライン維持処理が含まれる前記１ライン書込み維持処理に対して予め定められた輝度重みに応じた数の前記電圧パルスを前記表示電極対に印加することにより行い、前記１ライン維持終了処理は、前記電圧パルスの前記正電圧または前記負電圧に第２の所定電圧が重畳されてなる消去電圧を前記表示電極対に印加することにより行い、前記第１のグループに対し、第Ｋ（Ｋは２〜Ｎの整数）のグループの前記表示電極対に印加する前記電圧パルス列の位相をそれぞれ異なる角度遅らせるようにし、前記１ライン書込み処理を各々の前記セルラインに対して異なるタイミングで行い、前記表示電極対に印加される前記電圧パルス列の位相が進んでいるグループの順に各々の前記グループを選択することを繰り返し、各々の前記グループを選択する度に選択した前記グループ内の１または複数の前記表示電極対に対応する前記セルラインに対して前記１ライン書込み処理を行うようにしている。
【００１１】
この駆動方法によれば、プラズマディスプレイパネルに備えられている表示電極対を第１〜第Ｎの複数のグループに分け、１ライン書込み維持処理に印加する電圧パルス列の位相をグループ間で異ならせ、電圧パルス列の位相が進んでいる順にグループを順次選択することを繰り返し、グループを選択する度に選択したグループにおいて１または複数の所定数の表示電極対に対応するセルラインに対して１ライン書込み処理を行うことにより、全てのセルラインに対する１ライン書込み処理を効率よく行うことができ、全てのセルラインに対する１ライン書込み処理に要する時間を短縮することができる。さらに、１ライン書込み処理を行ったセルラインに対して続けて１ライン維持処理を行うことにより、他のセルラインに対する１ライン書込み処理を行っている間にも１ライン維持処理を行うことができる。以上のことから、１フィールドの画像表示を行うための限られた時間内に全てのセルラインに対して行われるＭ個の各々の１ライン書込み維持処理に含まれる１ライン維持処理に要する時間すなわち維持放電させるための時間を十分に確保することができる。したがって、２１６０ライン以上の超高精細度プラズマディスプレイパネルであっても、維持放電させるための時間を十分に確保することができ、十分な輝度で駆動することができる。
【００１２】
また、各々の前記グループを選択する度に選択した前記グループ内の複数の前記表示電極対に対応する複数のセルラインに対して、前記グループ内の複数の前記表示電極対に同じタイミングで印加される前記電圧パルスの前記正電圧または前記負電圧の印加期間内に前記１ライン書込み処理を行うようにしてもよい。
【００１３】
このように、同じタイミングで印加される電圧パルスの印加期間内に１ライン書込み処理を複数回行うことにより、同一グループ内において行う１ライン書込み処理の間隔を短縮して行う、あるいは間隔を無くして連続して行うことが可能になり、維持放電させるための時間をより十分に確保することができる。
【００１４】
また、前記第１〜第Ｎのグループのうちの一のグループの前記表示電極対に対応する前記セルラインに対する前記１ライン書込み処理を行う期間が、他のいずれかのグループの前記表示電極対に印加される前記電圧パルスの立上りまたは立下り期間と重なるようにしてもよい。
【００１５】
これにより、全てのセルラインに対して行う１ライン書込み処理の間隔を短縮して行う、あるいは間隔を無くして連続して行うことが可能になり、１ライン書込み処理を全てのセルラインに対して行うために要する時間をより短縮することができ、維持放電させるための時間をより十分に確保することができる。
【００１６】
また、前記第１のグループに対し、前記第Ｋのグループの前記表示電極対に印加する前記電圧パルス列の位相を[３６０×（Ｋ−１）／Ｎ]度遅らせるようにしてもよい。
【００１７】
また、前記グループの個数が２個〜４個（Ｎ＝２〜４）であってもよい。
【００１８】
また、前記１フィールドの画像表示を行う期間の間、前記第１〜第Ｎの各々のグループにおいて、前記グループ内の全ての前記表示電極対に、一部が前記１ライン書込み維持処理を行う間に印加する前記電圧パルス列となる一定周期の共通電圧パルス列を印加するようにしてもよい。
【００１９】
このように、各々のグループにおいて、各セルラインに対して行うＭ個の１ライン書込み維持処理のタイミングにかかわらず、１フィールドの画像表示を行う期間の間、一定周期の共通電圧パルス列を印加することにより、１ライン書込み維持処理の対象となるセルラインに対応する表示電極対への電圧パルス列の印加を容易に行える。
【００２０】
また、前記１フィールドの画像表示を行う期間の直前に、全ての前記放電セル内部を書込み放電が可能な帯電状態にするための初期化放電を発生させる初期化期間を有するようにしてもよい。
【００２１】
また、前記１番目〜前記Ｍ番目の１ライン書込み維持処理のうち、前記Ｍ番目の１ライン書込み維持処理に対する輝度重みが最小であるようにしてもよい。
【００２２】
Ｍ番目の１ライン書込み維持処理は最後の１ライン書込み維持処理であるので、全てのセルラインに対するＭ番目の１ライン書込み維持処理を終了すれば、１フィールドの画像表示の処理を終了することができる。そのため、Ｍ番目の１ライン書込み維持処理を輝度重みが最小である１ライン書込み維持処理とすることにより、１フィールドの画像表示の処理に要する時間を最短にすることができる。言い換えれば、１フィールドの画像表示の処理を一定時間の１フィールド期間で行うため、維持放電させるための時間を最長にすることができる。
【００２３】
また、本発明のプラズマディスプレイ装置は、対をなす走査電極及び維持電極からなる複数の表示電極対と複数のデータ電極とが間隙を有して交差するように配設され、前記表示電極対と前記データ電極との間隙からなる放電空間と、前記放電空間となる前記間隙を形成する前記表示電極対及び前記データ電極とを有する複数の放電セルを有したプラズマディスプレイパネルと、前記プラズマディスプレイパネルを駆動する駆動装置とを備え、前記駆動装置は、前記複数の表示電極対を第１〜第Ｎ（Ｎは複数）のグループに分け、前記表示電極対に対応する複数の前記放電セルからなる各々のセルラインに対し、点灯させるべき前記放電セルに書込み放電を生じさせる１ライン書込み処理と、前記書込み放電を生じさせた前記放電セルに維持放電を生じさせる１ライン維持処理と、前記維持放電を停止させるために前記維持放電を生じさせた前記放電セルに消去放電を生じさせる１ライン維持終了処理とを続けて行う処理であって、それぞれ予め定められた異なる輝度重みに応じた前記１ライン維持処理を有する１番目〜Ｍ番目（Ｍは複数）の１ライン書込み維持処理を含む１ライン表示処理を行い、全ての前記セルラインに対するＰ番目（Ｐは１〜Ｍ−１の整数）の１ライン書込み維持処理に含まれる前記１ライン書込み処理が終了した後で、（Ｐ＋１）番目の１ライン書込み維持処理に含まれる前記１ライン書込み処理を開始し、全ての前記セルラインに対して前記１ライン表示処理を行うことにより１フィールドの画像表示を行い、前記１番目〜Ｍ番目のそれぞれの前記１ライン書込み維持処理を行う間、前記１ライン書込み維持処理の対象となる前記セルラインに対応する前記表示電極対に、正電圧と負電圧とに切り替わる交番極性の電圧パルス列を印加するようにし、前記１ライン書込み処理は、この１ライン書込み処理の対象となる前記セルラインに対応する前記走査電極に走査選択電位を与えるとともに、点灯させるべき前記放電セルの前記データ電極に書込み電位を与えることにより前記書込み放電を生じさせる処理であって、前記走査電極に走査選択電位を与えるために前記電圧パルスの前記正電圧または前記負電圧に第１の所定電圧が重畳されてなる走査電圧を前記表示電極対に印加し、前記走査電圧の印加と同時に前記書込み電位を与えることにより行い、前記１ライン維持処理は、この１ライン維持処理が含まれる前記１ライン書込み維持処理に対して予め定められた輝度重みに応じた数の前記電圧パルスを前記表示電極対に印加することにより行い、前記１ライン維持終了処理は、前記電圧パルスの前記正電圧または前記負電圧に第２の所定電圧が重畳されてなる消去電圧を前記表示電極対に印加することにより行い、前記第１のグループに対し、第Ｋ（Ｋは２〜Ｎの整数）のグループの前記表示電極対に印加する前記電圧パルス列の位相をそれぞれ異なる角度遅らせるようにし、前記１ライン書込み処理を各々の前記セルラインに対して異なるタイミングで行い、前記表示電極対に印加される前記電圧パルス列の位相が進んでいるグループの順に各々の前記グループを選択することを繰り返し、各々の前記グループを選択する度に選択した前記グループ内の１または複数の前記表示電極対に対応する前記セルラインに対して前記１ライン書込み処理を行うように構成されている。
【００２４】
この構成によれば、プラズマディスプレイパネルに備えられている表示電極対を第１〜第Ｎの複数のグループに分け、１ライン書込み維持処理に印加する電圧パルス列の位相をグループ間で異ならせ、電圧パルス列の位相が進んでいる順にグループを順次選択することを繰り返し、グループを選択する度に選択したグループにおいて１または複数の所定数の表示電極対に対応するセルラインに対して１ライン書込み処理を行うことにより、全てのセルラインに対する１ライン書込み処理を効率よく行うことができ、全てのセルラインに対する１ライン書込み処理に要する時間を短縮することができる。さらに、１ライン書込み処理を行ったセルラインに対して続けて１ライン維持処理を行うことにより、他のセルラインに対する１ライン書込み処理を行っている間にも１ライン維持処理を行うことができる。以上のことから、１フィールドの画像表示を行うための限られた時間内に全てのセルラインに対して行われるＭ個の各々の１ライン書込み維持処理に含まれる１ライン維持処理に要する時間すなわち維持放電させるための時間を十分に確保することができる。したがって、２１６０ライン以上の超高精細度プラズマディスプレイパネルであっても、維持放電させるための時間を十分に確保することができ、十分な輝度で駆動することができる。
【００２５】
また、前記駆動装置は、各々の前記グループを選択する度に選択した前記グループ内の複数の前記表示電極対に対応する複数のセルラインに対して、前記グループ内の複数の前記表示電極対に同じタイミングで印加される前記電圧パルスの前記正電圧または前記負電圧の印加期間内に前記１ライン書込み処理を行うように構成されていてもよい。
【００２６】
このように、同じタイミングで印加される電圧パルスの印加期間内に１ライン書込み処理を複数回行うことにより、同一グループ内において行う１ライン書込み処理の間隔を短縮して行う、あるいは間隔を無くして連続して行うことが可能になり、維持放電させるための時間をより十分に確保することができる。
【００２７】
また、前記駆動装置は、前記第１〜第Ｎのグループのうちの一のグループの前記表示電極対に対応する前記セルラインに対する前記１ライン書込み処理を行う期間が、他のいずれかのグループの前記表示電極対に印加される前記電圧パルスの立上りまたは立下り期間と重なるように構成されていてもよい。
【００２８】
これにより、全てのセルラインに対して行う１ライン書込み処理の間隔を短縮して行う、あるいは間隔を無くして連続して行うことが可能になり、１ライン書込み処理を全てのセルラインに対して行うために要する時間をより短縮することができ、維持放電させるための時間をより十分に確保することができる。
【００２９】
また、前記駆動装置は、前記第１のグループに対し、前記第Ｋのグループの前記表示電極対に印加する前記電圧パルス列の位相を[３６０×（Ｋ−１）／Ｎ]度遅らせるように構成されていてもよい。
【００３０】
また、前記グループの個数が２個〜４個（Ｎ＝２〜４）であってもよい。
【００３１】
また、前記駆動装置は、前記１フィールドの画像表示を行う期間の間、前記第１〜第Ｎの各々のグループにおいて、前記グループ内の全ての前記表示電極対に、一部が前記１ライン書込み維持処理を行う間に印加する前記電圧パルス列となる一定周期の共通電圧パルス列を印加するように構成されていてもよい。
【００３２】
このように、各々のグループにおいて、各セルラインに対して行うＭ個の１ライン書込み維持処理のタイミングにかかわらず、１フィールドの画像表示を行う期間の間、一定周期の共通電圧パルス列を印加することにより、１ライン書込み維持処理の対象となるセルラインに対応する表示電極対への電圧パルス列の印加を容易に行える。
【００３３】
また、前記駆動装置は、前記１フィールドの画像表示を行う期間の直前に、全ての前記放電セル内部を書込み放電が可能な帯電状態にするための初期化放電を発生させる初期化期間を有するように構成されていてもよい。
【００３４】
また、前記１番目〜前記Ｍ番目の１ライン書込み維持処理のうち、前記Ｍ番目の１ライン書込み維持処理に対する輝度重みが最小であるようにしてもよい。
【００３５】
Ｍ番目の１ライン書込み維持処理は最後の１ライン書込み維持処理であるので、全てのセルラインに対するＭ番目の１ライン書込み維持処理を終了すれば、１フィールドの画像表示の処理を終了することができる。そのため、Ｍ番目の１ライン書込み維持処理を輝度重みが最小である１ライン書込み維持処理とすることにより、１フィールドの画像表示の処理に要する時間を最短にすることができる。言い換えれば、１フィールドの画像表示の処理を一定時間の１フィールド期間で行うため、維持放電させるための時間を最長にすることができる。
【発明の効果】
【００３６】
本発明は、以上に説明した構成を有し、２１６０ライン以上の超高精細度プラズマディスプレイパネルであっても、維持放電させるための時間を十分に確保することができ、十分な輝度で駆動することができるプラズマディスプレイパネルの駆動方法及びプラズマディスプレイ装置を提供することができるという効果を奏する。
【発明を実施するための最良の形態】
【００３７】
以下、本発明の好ましい実施の形態を、図面を参照しながら説明する。
【００３８】
（実施の形態１）
図１は、本発明の実施の形態１に用いるプラズマディスプレイパネルの構造を示す分解斜視図である。
【００３９】
このプラズマディスプレイＰＤＰ１０（以下、「ＰＤＰ１０」という）は、ガラス製の前面基板２１と背面基板３１とを互いに主面を対向配置して、その間に放電空間を形成するように構成されている。前面基板２１の主面には、表示電極対２４を構成する走査電極２２と維持電極２３とが互いに平行に対をなして複数形成されている。表示電極対２４を構成する走査電極２２と維持電極２３との間の放電ギャップで放電を発生させ、光を取り出すために、走査電極２２は幅の広い透明電極２２ａを有し、維持電極２３も幅の広い透明電極２３ａを有している。そして透明電極２２ａ、２３ａの上の放電ギャップから遠い位置に幅の狭いバス電極２２ｂ、２３ｂが積層されている。また、隣接する表示電極対２４の間には、光を遮断するブラックストライプ２９が設けられている。そして走査電極２２と維持電極２３とブラックストライプ２９とを覆うように誘電体層２５が形成され、さらに誘電体層２５を覆う保護層２６が形成されている。
【００４０】
また、背面基板３１の主面には、複数のデータ電極３２が形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００４１】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する領域およびその近傍領域がそれぞれ放電セルとなる。そしてこれらの放電セルが放電、発光することにより画像が表示される。
【００４２】
なお、ＰＤＰ１０の構造は上述したものに限られるわけではなく、例えば、井桁状の隔壁３４の代わりに、データ電極３２の間の誘電体層３３上にデータ電極３２と平行して設けられるストライプ状の隔壁を備えたものであってもよい。
【００４３】
図２は、本発明の実施の形態１に用いるＰＤＰ１０の電極配列図である。ＰＤＰ１０には、行方向（ライン方向）に長いｎ本の走査電極ＳＣ１〜ＳＣｎ（図１の走査電極２２）およびｎ本の維持電極ＳＵ１〜ＳＵｎ（図１の維持電極２３）が交互に配列され、列方向に長いｍ本のデータ電極Ｄ１〜Ｄｍ（図１のデータ電極３２）が配列されている。そして、対をなす走査電極ＳＣｉおよび維持電極ＳＵｉ（ｉ＝１〜ｎ）と１つのデータ電極Ｄｊ（ｊ＝１〜ｍ）とが、放電空間を挟んで交差する領域およびその近傍領域が画像表示に寄与する１つの放電セル１１となる。したがって、各放電セル１１は、１対の表示電極対（走査電極ＳＣｉおよび維持電極ＳＵｉ）と１つのデータ電極とを備え、それらの間の放電空間を含んで構成される。このＰＤＰ１には、放電セル１１がｍ×ｎ個形成されている。
【００４４】
ｎ本の走査電極ＳＣ１〜ＳＣｎおよびｎ本の維持電極ＳＵ１〜ＳＵｎのｎ対の表示電極対は、複数の表示電極対グループに分けられている。表示電極対の数について特に制限はないが、本実施の形態においては、ｎ＝２１６０として説明する。そして、図２に示すように、ＰＤＰ１０の上半分に位置する表示電極対を第１の表示電極対グループとし、ＰＤＰ１０の下半分に位置する表示電極対を第２の表示電極対グループとしている。すなわち、１０８０本の走査電極ＳＣ１〜ＳＣ１０８０（第１の走査電極グループＧ１ｓｃ）および１０８０本の維持電極ＳＵ１〜ＳＵ１０８０（第１の維持電極グループＧ１ｓｕ）が第１の表示電極対グループに属し、１０８０本の走査電極ＳＣ１０８１〜ＳＣ２１６０（第２の走査電極グループＧ２ｓｃ）および１０８０本の維持電極ＳＵ１０８１〜ＳＵ２１６０（第２の維持電極グループＧ２ｓｕ）が第２の表示電極対グループに属している。
【００４５】
次に、本実施の形態のＰＤＰの駆動方法について説明する。このＰＤＰの駆動方法は、本実施の形態においては、後述するプラズマディスプレイ装置の動作として遂行される。
【００４６】
図３は、本発明の実施の形態１におけるＰＤＰ１０の各電極に与える駆動電位信号の波形図である。図３には、初期化期間と第１ＳＦおよび第２ＳＦの一部を示している。また図４は、本発明の実施の形態１におけるＰＤＰ１０の走査電極に与える駆動電位信号波形の拡大図であり、表示期間のはじめの期間に走査電極ＳＣ１〜ＳＣ４、ＳＣ１０８１〜ＳＣ１０８４およびデータ電極Ｄ１〜Ｄｍに与える駆動電位信号波形の詳細を示している。また、図５は、本発明の実施の形態１において、１フィールド期間における各ライン（表示電極対に対応する複数の放電セル）に対する書込み動作及び消去動作を行う大凡のタイミングを模式的に示す図である。図５の縦軸は、各ラインの表示電極対を代表する走査電極ＳＣ１〜ＳＣ２１６０を示し、横軸は時間を示している。
【００４７】
本実施の形態において、１フィールド期間は、初期化期間とこの後に続く表示期間とからなる。初期化期間は、全ての放電セルで一斉に初期化放電を発生させる期間であり、全てのラインに対して同一の期間として設けられている。表示期間は、各ラインに対して書込み放電及び維持放電等を発生させる複数のサブフィールドの動作を行わせる期間であり、本実施の形態では、各ラインに対し、第１ＳＦ、第２ＳＦ、・・・、第９ＳＦの９つのサブフィールドを有する。第１ＳＦ〜第９ＳＦの各サブフィールドはそれぞれ（６０、４４、３０、１８、１１、６、３、２、１）の輝度重みを持つものとする。しかし本発明は、上記のサブフィールド数、輝度重みに限定されるものではない。なお、１フィールド期間は所定時間（例えば周波数が６０Ｈｚの場合には、約１６．７ｍｓ）となるように定められる。
【００４８】
図３に示すように、初期化期間では、データ電極Ｄ１〜Ｄｍを０（Ｖ）の電位に保持する。そして、初期化期間の前半では、維持電極ＳＵ１〜ＳＵ２１６０に０（Ｖ）の電位を与え、走査電極ＳＣ１〜ＳＣ２１６０には、維持電極ＳＵ１〜ＳＵ２１６０に対して放電開始電圧以下の電位Ｖｉ１から、放電開始電圧を超える電位Ｖｉ２に向かって緩やかに上昇する傾斜波形電位を与える。この傾斜波形電位が上昇する間に、走査電極ＳＣ１〜ＳＣ２１６０と維持電極ＳＵ１〜ＳＵ２１６０、データ電極Ｄ１〜Ｄｍとの間でそれぞれ微弱な初期化放電が起こる。そして、走査電極ＳＣ１〜ＳＣ２１６０上部に負の壁電荷が蓄積されるとともに、データ電極Ｄ１〜Ｄｍ上部および維持電極ＳＵ１〜ＳＵ２１６０上部には正の壁電荷が蓄積される。
【００４９】
次に、初期化期間の後半では、維持電極ＳＵ１〜ＳＵ２１６０に正の電位Ｖｅを与え、走査電極ＳＣ１〜ＳＣ２１６０には、維持電極ＳＵ１〜ＳＵ２１６０に対して放電開始電圧以下となる電位Ｖｉ３から放電開始電圧を超える電位Ｖｉ４に向かって緩やかに下降する傾斜波形電位を与える。この間に、走査電極ＳＣ１〜ＳＣ２１６０と維持電極ＳＵ１〜ＳＵ２１６０、データ電極Ｄ１〜Ｄｍとの間でそれぞれ微弱な初期化放電が起こる。これにより、走査電極ＳＣ１〜ＳＣ２１６０上部の負の壁電荷が減らされるとともに維持電極ＳＵ１〜ＳＵ２１６０及びデータ電極Ｄ１〜Ｄｍ上部の正の壁電荷が減らされ、書込み動作に適した壁電荷量に調整される。その後、全ての走査電極ＳＣ１〜ＳＣ２１６０に０（Ｖ）の電位を与える。以上により、全ての放電セルに対して初期化放電を行う初期化動作が終了する。
【００５０】
次に表示期間について説明する。走査電極ＳＣ１〜ＳＣ２１６０および維持電極ＳＵ１〜ＳＵ２１６０には０（Ｖ）の電位と電位Ｖｓとを交互に繰り返す維持パルス列を与える。ここで表示電極対を構成する走査電極ＳＣｉおよび維持電極ＳＵｉに与える維持パルス列の位相は互いに１８０°ずれている。さらに、第１の表示電極対グループに属する走査電極ＳＣ１〜ＳＣ１０８０と第２の表示電極対グループに属する走査電極ＳＣ１０８１〜ＳＣ２１６０に与える維持パルス列との位相も互いに１８０°ずれている。
【００５１】
表示期間の最初には、第１の表示電極対グループに属する走査電極ＳＣ１〜ＳＣ１０８０に電位Ｖｓが与えられ、維持電極ＳＵ１〜ＳＵ１０８０に０（Ｖ）の電位が与えられる。また、第２の表示電極対グループに属する走査電極ＳＣ１０８１〜ＳＣ２１６０に０（Ｖ）の電位が与えられ、維持電極ＳＵ１０８１〜ＳＵ２１６０に電位Ｖｓが与えられる。ここでは、初期化期間において、走査電極ＳＣ１〜ＳＣ２１６０上部および維持電極ＳＵ１〜ＳＵ２１６０上部の壁電荷が減らされているため、維持放電は発生しない。
【００５２】
次に時刻ｔ１において、第１の表示電極対グループに属する走査電極ＳＣ１〜ＳＣ１０８０に０（Ｖ）の電位を与え、維持電極ＳＵ１〜ＳＵ１０８０に電位Ｖｓを与える。また、第２の表示電極対グループに属する走査電極ＳＣ１０８１〜ＳＣ２１６０に電位Ｖｓを与え、維持電極ＳＵ１０８１〜ＳＵ２１６０に０（Ｖ）の電位を与える。さらに１ライン目の走査電極ＳＣ１に、０（Ｖ）の電位に対し走査電位（走査選択電位）Ｖａにするための電圧（Ｖａ）を重畳して与える（すなわち走査電極ＳＣ１を走査電位Ｖａにする）とともに、データ電極Ｄ１〜Ｄｍのうち１ライン目に発光させるべき放電セルのデータ電極Ｄｋ（ｋ＝１〜ｍ）に書込みパルス電位Ｖｄを与える。このとき、データ電極Ｄｋと走査電極ＳＣ１との交差部の電圧は、外部印加電圧（Ｖｄ−Ｖａ）に、データ電極Ｄｋ上の壁電荷により生じる電圧および走査電極ＳＣ１上の壁電荷により生じる電圧の大きさが加算されたものとなり、放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電荷が蓄積され、維持電極ＳＵ１上に負の壁電荷が蓄積される。
【００５３】
このようにして、１ライン目に発光させるべき放電セルで書込み放電を起こして各電極上に壁電荷を蓄積する書込み動作が行われる。一方、書込みパルス電位Ｖｄを与えなかったデータ電極Ｄ１〜Ｄｍと走査電極ＳＣ１との交差部の電圧は放電開始電圧を超えないので、書込み放電は発生しない。
【００５４】
１ライン目の走査電極ＳＣ１に走査電位Ｖａを与えた後、同様にして、２ライン目の走査電極ＳＣ２に走査電位Ｖａを与えるとともに、データ電極Ｄ１〜Ｄｍのうち２ライン目に発光させるべき放電セルのデータ電極Ｄｋに書込みパルス電位Ｖｄを与える。これによりデータ電極Ｄｋと走査電極ＳＣ２との間および維持電極ＳＵ２と走査電極ＳＣ２との間に書込み放電が起こり、走査電極ＳＣ２上に正の壁電荷が蓄積され、維持電極ＳＵ２上に負の壁電荷が蓄積される。
【００５５】
このようにして、２ライン目に発光させるべき放電セルでも書込み放電を起こして各電極上に壁電荷を蓄積する書込み動作が行われる。
【００５６】
次に時刻ｔ２において、第１の表示電極対グループに属する走査電極ＳＣ１〜ＳＣ１０８０に電位Ｖｓを与え、維持電極ＳＵ１〜ＳＵ１０８０に０（Ｖ）の電位を与える。また、第２の表示電極対グループに属する走査電極ＳＣ１０８１〜ＳＣ２１６０に０（Ｖ）の電位を与え、維持電極ＳＵ１０８１〜ＳＵ２１６０に電位Ｖｓを与える。これにより、１ライン目の放電セルのうち書込み放電を起こした放電セルにおいて、放電空間における走査電極ＳＣ１近傍部分と維持電極ＳＵ１近傍部分との間の電圧は、維持パルス電圧（Ｖｓ）に走査電極ＳＣ１上の壁電荷により生じる電圧および維持電極ＳＵ１上の壁電荷により生じる電圧の大きさが加算されたものとなり放電開始電圧を超える。そして、走査電極ＳＣ１と維持電極ＳＵ１の間に維持放電が起こり、このとき発生した紫外線により蛍光体層３５が発光する。そして走査電極ＳＣ１上に負の壁電荷が蓄積され、維持電極ＳＵ１上に正の壁電荷が蓄積される。同様に、２ライン目の放電セルのうち書込み放電を起こした放電セルでも維持放電が発生する。書込み放電が起きなかった放電セルでは維持放電は発生せず、初期化期間の終了時における壁電荷の状態が保たれる。
【００５７】
また、時刻ｔ２において、第２の表示電極対グループに属する走査電極ＳＣ１０８１に走査電位Ｖａを与えるとともに、データ電極Ｄ１〜Ｄｍのうち１０８１ライン目に発光させるべき放電セルのデータ電極Ｄｋに書込みパルス電位Ｖｄを与える。これにより、データ電極Ｄｋと走査電極ＳＣ１０８１との間および維持電極ＳＵ１０８１と走査電極ＳＣ１０８１との間に書込み放電が起こり、走査電極ＳＣ１０８１上に正の壁電荷が蓄積され、維持電極ＳＵ１０８１上に負の壁電荷が蓄積される。このようにして、１０８１ライン目に発光させるべき放電セルで書込み放電を起こして各電極上に壁電荷を蓄積する書込み動作が行われる。
【００５８】
そして、１０８１ライン目の走査電極ＳＣ１０８１に走査電位Ｖａを与えた後、１０８２ライン目の走査電極ＳＣ１０８２に走査電位Ｖａを与えるとともに、データ電極Ｄ１〜Ｄｍのうち１０８２ライン目に発光させるべき放電セルのデータ電極Ｄｋに書込みパルス電位Ｖｄを与える。これによりデータ電極Ｄｋと走査電極ＳＣ１０８２との間および維持電極ＳＵ１０８２と走査電極ＳＣ１０８２との間に書込み放電が起こり、走査電極ＳＣ１０８２上に正の壁電荷が蓄積され、維持電極ＳＵ１０８２上に負の壁電荷が蓄積される。
【００５９】
以下、同様の書込み動作を２１６０ライン目の放電セルに至るまで行う。また、書込み放電を起こした放電セルでは、その後の維持パルスの印加によって維持放電が起こる。
【００６０】
図４等からわかるように、走査電位Ｖａは、対をなす維持電極の電位が維持パルス電位Ｖｓに保たれている間に所望の走査電極に与えられ、書込み動作が行われる。そして、維持電極が維持パルス電位Ｖｓに保たれている間に、２つのラインの放電セルに対する書込み動作が行われ、表示電極対に与えられる維持パルスの立上り及び立下り期間に相当する期間Ａの間は書込み動作が行われない。例えば、維持パルスの周期を５〜６μｓ程度、電位Ｖｓに保たれている時間を２〜３μｓ程度、走査電位Ｖａの付与時間を１〜１．５μｓ程度としてもよい。そして、各表示電極対グループに対し、２組の表示電極対（２つのライン）ずつ、交互に書込み動作が行われる。第１の表示電極対グループに属する２組の表示電極対に対応する２つのラインに対する書込み動作と、第２の表示電極対グループに属する２組の表示電極対に対応する２つのラインに対する書込み動作とを交互に行うようにしている。
【００６１】
そして、走査電極ＳＣ１および維持電極ＳＵ１に第１サブフィールドの輝度重み「６０」に応じた維持パルス列を与えた後の時刻ｔ３において、第１の表示電極対グループに属する走査電極ＳＣ１〜ＳＣ１０８０に０（Ｖ）の電位を与え、維持電極ＳＵ１〜ＳＵ１０８０に電位Ｖｓを与える。また、第２の表示電極対グループに属する走査電極ＳＣ１０８１〜ＳＣ２１６０に電位Ｖｓを与え、維持電極ＳＵ１０８１〜ＳＵ２１６０に０（Ｖ）の電位を与える。さらに時刻ｔ３の直後に、１ライン目の維持電極ＳＵ１に、電位Ｖｓに対し消去電位Ｖｂにするための電圧（Ｖｂ−Ｖｓ）を重畳して与える（すなわち維持電極ＳＵ１を消去電位Ｖｂにする）。これにより、維持放電を起こした１ライン目の放電セルの走査電極ＳＣ１と維持電極ＳＵ１との間で壁電荷を減少させる消去放電が発生し、それ以降の１ライン目の放電セルの維持放電を停止させる。こうして１ライン目の放電セルにおける第１ＳＦが終了する。
【００６２】
本実施の形態においては走査電極ＳＣ１および維持電極ＳＵ１と同じタイミングで走査電極ＳＣ２および維持電極ＳＵ２にも輝度重み「６０」に応じた維持パルス列が与えられるので、維持電極ＳＵ１と同じタイミングで２ライン目の維持電極ＳＵ２にも電圧（Ｖｂ−Ｖｓ）を重畳して与える（すなわち維持電極ＳＵ２を消去電位Ｖｂにする）。これにより、維持放電を起こした２ライン目の放電セルの走査電極ＳＣ２と維持電極ＳＵ２との間で消去放電が発生し、それ以降の２ライン目の放電セルの維持放電を停止させる。こうして２ライン目の放電セルにおける第１ＳＦが終了する。
【００６３】
次の時刻ｔ４において、第１の表示電極対グループに属する走査電極ＳＣ１〜ＳＣ１０８０に電位Ｖｓを与え、維持電極ＳＵ１〜ＳＵ１０８０に０（Ｖ）の電位を与える。また、第２の表示電極対グループに属する走査電極ＳＣ１０８１〜ＳＣ２１６０に０（Ｖ）の電位を与え、維持電極ＳＵ１０８１〜ＳＵ２１６０に電位Ｖｓの電位を与える。このとき、１０８１ライン目および１０８２ライン目の表示電極対には輝度重み「６０」に応じた維持パルス列を与えた後であるので、さらに時刻ｔ４の直後に、１０８１ライン目および１０８２ライン目の維持電極ＳＵ１０８１、ＳＵ１０８２に、電圧（Ｖｂ−Ｖｓ）を重畳して与える（すなわち維持電極ＳＵ１０８１、ＳＵ１０８２を消去電位Ｖｂにする）。これにより、維持放電を起こした１０８１ライン目の放電セルの走査電極ＳＣ１０８１と維持電極ＳＵ１０８１との間、および１０８２ライン目の放電セルの走査電極ＳＣ１０８２と維持電極ＳＵ１０８２との間で壁電荷を減少させる消去放電が発生し、それ以降の１０８１ライン目および１０８２ライン目の放電セルの維持放電を停止させる。こうして１０８１ライン目および１０８２ライン目の放電セルにおける第１ＳＦが終了する。
【００６４】
以下、同様の消去動作を２１６０ライン目の放電セルに至るまで行う。
【００６５】
なお時刻ｔ４において、全ての放電セルで第１ＳＦの書込み動作が終了していれば、１ライン目および２ライン目の走査電極ＳＣ１、ＳＣ２に走査電位Ｖａを順次重畳与えて第２ＳＦにおける書込み動作を行うことができる。
【００６６】
各ラインにおいて、第１ＳＦの動作が終了すると、次の第２ＳＦの動作が行われる。このように、第１ＳＦ、第２ＳＦ、第３ＳＦ、・・・、第９ＳＦの順にサブフィールドの動作が行われる。そして、全てのラインに対する第９ＳＦ（最後のサブフィールド）の動作が終了すると、そのフィールドが終了して、次のフィールドが開始される。
【００６７】
図５にも示されるように、初期化期間は、１フィールド期間の最初に、全てのラインに対して同一の期間として設けられている。図５では、表示期間において、書込み動作を行うタイミング（本実施の形態では、走査電極に走査電位Ｖａを与えるタイミング）を太い実線で示し、消去動作を行うタイミング（本実施の形態では、維持電極に消去電位Ｖｂを与えるタイミング）を破線で示している。そして実線から破線の間の期間が、輝度重みに応じた数の維持パルスが印加される期間であり、この期間がそれぞれの表示電極対に対するサブフィールドを示している。
【００６８】
図５からわかるように、各サブフィールド期間の長さは、各表示電極対グループに属する全ての走査電極に対して書込み動作を行わせるために必要な時間と輝度重みに応じた数の維持パルスを表示電極対に与えるために必要な時間との長いほうの時間に依存する。図５においては、第１ＳＦおよび第２ＳＦの各サブフィールドの時間は維持パルスを与えるために必要な時間に依存し、第３ＳＦ〜第９ＳＦの各サブフィールドの時間は表示電極対グループに属する走査電極に対し書込み動作を行わせるために必要な時間に依存する。ただし第９ＳＦは最後のサブフィールドであるので、走査電極ＳＣ２１６０を有する表示電極対に対して消去動作を行わせた時点で第９ＳＦが終了するとともに、そのフィールドを終了することができる。そのため、最後のサブフィールドには輝度重みの最も小さい（維持パルス数が最も少ない）サブフィールドを配置することにより、走査電極ＳＣ２１６０を有する表示電極対に対して最後の書込み動作を行わせてから消去動作を行わせるまでの時間を最短にすることができ、１フィールドの画像表示の処理に要する時間を最短にすることができる。言い換えれば、１フィールドの画像表示の処理を一定時間の１フィールド期間で行うため、維持放電に要する時間を最長にすることができる。したがって、１フィールド期間の最後のサブフィールドは、輝度重みの最も小さい、すなわち輝度重みに応じた維持パルスの数が最も少ないサブフィールドとすることが望ましい。
【００６９】
本実施の形態では、ＰＤＰ１０に備えられている表示電極対を２つの表示電極対グループに分け、表示期間に印加する維持パルス列の位相を表示電極対グループ間で１８０度ずらし、書込み動作を行うラインの表示電極対グループを交互に選択し、表示電極対グループを選択する度に選択した表示電極対グループにおいて２つの表示電極対に対応する２つのラインに対して書込み動作を行うことにより、全てのラインに対する書込み動作を効率よく行うことができ、全てのラインに対する書込み動作に要する時間を短縮することができる。さらに、書込み動作を行ったラインに対して続けて維持放電を行うことにより、他のラインに対して書込み動作を行っている間にも維持放電を行うことができる。以上のことから、各サブフィールドにおいて維持放電させるための時間を十分に確保することができる。したがって、２１６０ライン以上の超高精細度パネルであっても、維持放電させるための時間を十分に確保することができ、十分な輝度で駆動することができる。
【００７０】
図６は、本発明の実施の形態１におけるプラズマディスプレイ装置１００の構成を示すブロック図である。
【００７１】
このプラズマディスプレイ装置１００は、ＰＤＰ１０と、その駆動装置とを備えている。駆動装置は、画像信号処理回路４１、データ電極駆動回路４２、表示電極対駆動回路４３、タイミング発生回路４４および各回路（４１〜４４）に必要な電源を供給する電源回路（図示せず）を備えている。
【００７２】
タイミング発生回路４４は、同期信号（水平同期信号および垂直同期信号）をもとにして各回路４１，４２，４３の動作を制御するタイミング信号を発生し、それぞれの回路４１，４２，４３に与える。
【００７３】
画像信号処理回路４１は、入力される画像信号を、サブフィールド毎の発光・非発光を示す画像データに変換し、データ電極駆動回路４２へ出力する。
【００７４】
データ電極駆動回路４２は、ｍ本のデータ電極Ｄ１〜Ｄｍのそれぞれに書込みパルス電位Ｖｄまたは０（Ｖ）の電位を与えるためのｍ個のスイッチを備えている。そして画像信号処理回路４１から出力された画像データを各データ電極Ｄ１〜Ｄｍに対応する書込みパルスに変換し、各データ電極Ｄ１〜Ｄｍに与える。
【００７５】
表示電極対駆動回路４３は、タイミング発生回路４４から与えられるタイミング信号に基づいて各走査電極ＳＣ１〜ＳＣ２１６０および各維持電極ＳＵ１〜ＳＵ２１６０をそれぞれ駆動する。
【００７６】
図７は、本発明の実施の形態１におけるプラズマディスプレイ装置１００の表示電極対駆動回路４３の回路図である。表示電極対駆動回路４３は、２つの維持パルス発生回路５０、６０と、２つの初期化波形発生回路７０、８０と、２つの走査パルス発生回路９１、９６と、２つの消去パルス発生回路９２、９７とを備えている。
【００７７】
維持パルス発生回路５０は、電力回収部５１を構成する電力回収用のコンデンサＣ５１、スイッチング素子Ｑ５１、Ｑ５２、逆流防止用のダイオードＤ５１、Ｄ５２、共振用のインダクタＬ５１を有し、さらに電圧クランプ部を構成するスイッチング素子Ｑ５５、Ｑ５６を有している。そして走査電極ＳＣ１〜ＳＣ１０８０および維持電極ＳＵ１０８１〜ＳＵ２１６０に維持パルスを与える。
【００７８】
電力回収部５１は、表示電極間の電極間容量（以下、「電極間容量Ｃｐ」という）とインダクタＬ５１とをＬＣ共振させて維持パルスの立ち上がりおよび立ち下がりを行う。維持パルスの立ち上がり時には、電力回収用のコンデンサＣ５１に蓄えられている電荷を、スイッチング素子Ｑ５１、ダイオードＤ５１およびインダクタＬ５１を介して電極間容量Ｃｐに移動させる。維持パルスの立ち下がり時には、電極間容量Ｃｐに蓄えられた電荷を、インダクタＬ５１、ダイオードＤ５２およびスイッチング素子Ｑ５２を介して電力回収用のコンデンサＣ５１に戻す。このように、電力回収部５１は電源から電力を供給されることなくＬＣ共振によって表示電極の駆動を行うため、理想的には消費電力が０となる。なお、電力回収用のコンデンサＣ５１は電極間容量Ｃｐに比べて十分に大きい容量を持ち、電力回収部５１の電源として働くように、維持パルス電圧（Ｖｓ）の半分の約Ｖｓ／２に充電されている。
【００７９】
電圧クランプ部は、スイッチング素子Ｑ５５を介して駆動する表示電極を電源に接続して電位Ｖｓにクランプする。また、スイッチング素子Ｑ５６を介して駆動する表示電極を接地して０（Ｖ）にクランプする。したがって、電圧クランプ部による電圧印加時のインピーダンスは小さく、強い維持放電による大きな放電電流を安定して流すことができる。
【００８０】
こうして維持パルス発生回路５０は、スイッチング素子Ｑ５１、Ｑ５２、Ｑ５５、Ｑ５６を制御することによって走査電極ＳＣ１〜ＳＣ１０８０および維持電極ＳＵ１０８１〜ＳＵ２１６０に維持パルスを与える。なお、これらのスイッチング素子は、ＭＯＳＦＥＴやＩＧＢＴ等の一般に知られた素子を用いて構成することができる。
【００８１】
初期化波形発生回路７０は、初期化期間において走査電極ＳＣ１〜ＳＣ１０８０に緩やかに上昇する傾斜波形電位を与えるためのミラー積分回路７１と、緩やかに下降する傾斜波形電位を与えるためのミラー積分回路７２とを備えている。また維持電極ＳＵ１０８１〜ＳＵ２１６０にスイッチング素子Ｑ７５を介して電位Ｖｅを与えるための電位付与回路７５を備えている。また、スイッチング素子Ｑ７３、Ｑ７４は分離スイッチであり、維持パルス発生回路５０および初期化波形発生回路７０を構成するスイッチング素子の寄生ダイオードを介して電流が逆流するのを防止するために設けられている。
【００８２】
上記の維持パルス発生回路５０及び初期化波形発生回路７０のそれぞれは、従来から用いられている周知の構成である。
【００８３】
走査パルス発生回路９１は、走査電位Ｖａを走査電極ＳＣ１〜ＳＣ１０８０に与えるための電圧（−Ｖａ）の直流電源Ｖ９１を有するとともに、必要に応じて走査電位Ｖａを、走査電極ＳＣ１に与えるためのスイッチング素子Ｑ９１Ｈ１およびＱ９１Ｌ１と、走査電極ＳＣ２に与えるためのスイッチング素子Ｑ９１Ｈ２およびＱ９１Ｌ２と、・・・、走査電極ＳＣ１０８０に与えるためのスイッチング素子Ｑ９１Ｈ１０８０およびＱ９１Ｌ１０８０とを有する。そしてスイッチング素子Ｑ９１Ｈ１〜Ｑ９１Ｈ１０８０、Ｑ９１Ｌ１〜Ｑ９１Ｌ１０８０を制御することにより走査電極ＳＣ１〜ＳＣ１０８０に上述したタイミングで走査電位Ｖａを順次与える。
【００８４】
また消去パルス発生回路９２は、消去電位Ｖｂを維持電極ＳＵ１０８１〜ＳＵ２１６０に与えるための電圧（Ｖｓ−Ｖｂ）の直流電源Ｖ９２を有するとともに、必要に応じて消去電位Ｖｂを、維持電極ＳＵ１０８１に与えるためのスイッチング素子Ｑ９２Ｈ１０８１およびＱ９２Ｌ１０８１と、維持電極ＳＵ１０８２に与えるためのスイッチング素子Ｑ９２Ｈ１０８２およびＱ９２Ｌ１０８２と、・・・、維持電極ＳＵ２１６０に与えるためのスイッチング素子Ｑ９２Ｈ２１６０およびＱ９２Ｌ２１６０とを有する。そしてスイッチング素子Ｑ９２Ｈ１０８１〜Ｑ９２Ｈ２１６０、Ｑ９２Ｌ１０８１〜Ｑ９２Ｌ２１６０を制御することにより維持電極ＳＵ１０８１〜ＳＵ２１６０に上述したタイミングで消去電位Ｖｂを与える。
【００８５】
なお、維持パルス発生回路６０は維持パルス発生回路５０と同様の構成であり、初期化波形発生回路８０は初期化波形発生回路７０と同様の構成であるため説明を省略する。また走査パルス発生回路９６は走査パルス発生回路９１と同様の構成であり、電圧（−Ｖａ）の直流電源Ｖ９６を有し、走査電極ＳＣ１０８１〜ＳＣ２１６０に上述したタイミングで走査電位Ｖａを順次与える。さらに消去パルス発生回路９７は消去パルス発生回路９２と同様の構成であり、電圧（Ｖｓ−Ｖｂ）の直流電源Ｖ９７を有し、維持電極ＳＵ１〜ＳＵ１０８０に上述したタイミングで消去電位Ｖｂを与える。
【００８６】
次に、表示期間における表示電極対駆動回路４３の動作について説明する。図８は、本発明の実施の形態１における表示電極対駆動回路４３の動作を示すタイミングチャートである。維持パルスの繰返し周期（以下、「維持周期」と略記する）の１周期分（Ｔｓ１，Ｔｓ２等）をＴ１〜Ｔ６で示した６つの期間に分割し、それぞれの期間について説明する。なお、以下の説明において、スイッチング素子の導通状態をＯＮ、遮断状態をＯＦＦと表記する。
【００８７】
表示期間において、スイッチング素子Ｑ７３、Ｑ７４、Ｑ８３、Ｑ８４はＯＮであり、ミラー積分回路７１、７２、８１、８２および電位付与回路７５、８５は動作しない。
【００８８】
ここでは第１の表示電極対グループについて説明するが、第２の表示電極対グループについても同様である。
【００８９】
（期間Ｔ１）
時刻ｔ１でスイッチング素子Ｑ５２をＯＮにする。すると、走査電極ＳＣ１〜ＳＣ１０８０からスイッチング素子Ｑ９１Ｈ１〜Ｑ９１Ｈ１０８０、スイッチング素子Ｑ７４、Ｑ７３、インダクタＬ５１、ダイオードＤ５２及びスイッチング素子Ｑ５２を通してコンデンサＣ５１に電流が流れ始め、走査電極ＳＣ１〜ＳＣ１０８０の電圧が下がり始める。ここで、インダクタＬ５１と電極間容量Ｃｐとは共振回路を形成しているので、共振周期の１／２の時間経過後には走査電極ＳＣ１〜ＳＣ１０８０の電位は０（Ｖ）付近まで低下する。
【００９０】
（期間Ｔ２）
時刻ｔ２でスイッチング素子Ｑ５６をＯＮにする。すると、走査電極ＳＣ１〜ＳＣ１０８０はスイッチング素子Ｑ５６を通して接地されるため、走査電極ＳＣ１〜ＳＣ１０８０の電位は０（Ｖ）にクランプされる。
【００９１】
また時刻ｔ２でスイッチング素子Ｑ６１をＯＮにする。すると、電力回収用のコンデンサＣ６１からスイッチング素子Ｑ６１、ダイオードＤ６１、インダクタＬ６１及びスイッチング素子Ｑ９７Ｈ１〜Ｑ９７Ｈ１０８０を通して維持電極ＳＵ１〜ＳＵ１０８０へ電流が流れ始め、維持電極ＳＵ１〜ＳＵ１０８０の電圧が上がり始める。ここで、インダクタＬ６１と電極間容量Ｃｐとは共振回路を形成しているので、共振周期の１／２の時間経過後には維持電極ＳＵ１〜ＳＵ１０８０の電位は電位Ｖｓ付近まで上昇する。
【００９２】
（期間Ｔ３）
時刻ｔ３でスイッチング素子Ｑ６５をＯＮにする。すると、維持電極ＳＵ１〜ＳＵ１０８０はスイッチング素子Ｑ６５を通して電位Ｖｓの電源へ接続されるため、維持電極ＳＵ１〜ＳＵ１０８０は電位Ｖｓにクランプされる。
【００９３】
維持電極ＳＵ１〜ＳＵ１０８０が電位Ｖｓにクランプされると、書込み放電を起こした放電セルでは走査電極ＳＣ１〜ＳＣ１０８０と維持電極ＳＵ１〜ＳＵ１０８０との間の電位差が放電開始電圧を超え、維持放電が発生する。
【００９４】
なお期間Ｔ３では、走査電極ＳＣ１〜ＳＣ１０８０の電位は０（Ｖ）に、維持電極ＳＵ１〜ＳＵ１０８０の電位は維持パルス電位Ｖｓに保たれている。この期間Ｔ３の間に、必要に応じて走査電極ＳＣ１〜ＳＣ１０８０のいずれかに走査電位Ｖａを与えることができる。例えば走査電極ＳＣｉに走査電位Ｖａを与えるには、時刻ｔ３ａにおいてスイッチング素子Ｑ９１ＨｉをＯＦＦにし、スイッチング素子Ｑ９１ＬｉをＯＮにすればよい。そして時刻ｔ３ｂにおいてスイッチング素子Ｑ９１ＨｉをＯＮに戻し、スイッチング素子Ｑ９１ＬｉをＯＦＦに戻す。
【００９５】
（期間Ｔ４）
時刻ｔ４でスイッチング素子Ｑ６２をＯＮにする。すると、維持電極ＳＵ１〜ＳＵ１０８０からスイッチング素子Ｑ９７Ｈ１〜Ｑ９７Ｈ１０８０、インダクタＬ６１、ダイオードＤ６２及びスイッチング素子Ｑ６２を通してコンデンサＣ６１に電流が流れ始め、維持電極ＳＵ１〜ＳＵ１０８０の電圧が下がり始める。ここで、インダクタＬ６１と電極間容量Ｃｐとは共振回路を形成しているので、共振周期の１／２の時間経過後には維持電極ＳＵ１〜ＳＵ１０８０の電位は０（Ｖ）付近まで低下する。
【００９６】
（期間Ｔ５）
時刻ｔ５でスイッチング素子Ｑ６６をＯＮにする。すると、維持電極ＳＵ１〜ＳＵ１０８０はスイッチング素子Ｑ６６を通して接地されるため、維持電極ＳＵ１〜ＳＵ１０８０の電位は０（Ｖ）にクランプされる。
【００９７】
また時刻ｔ５でスイッチング素子Ｑ５１をＯＮにする。すると、電力回収用のコンデンサＣ５１からスイッチング素子Ｑ５１、ダイオードＤ５１、インダクタＬ５１、スイッチング素子Ｑ７３、Ｑ７４及びスイッチング素子Ｑ９１Ｈ１〜Ｑ９１Ｈ１０８０を通して走査電極ＳＣ１〜ＳＣ１０８０へ電流が流れ始め、走査電極ＳＣ１〜ＳＣ１０８０の電圧が上がり始める。ここで、インダクタＬ５１と電極間容量Ｃｐとも共振回路を形成しているので、共振周期の１／２の時間経過後には走査電極ＳＣ１〜ＳＣ１０８０の電位は電位Ｖｓ付近まで上昇する。
【００９８】
（期間Ｔ６）
時刻ｔ６でスイッチング素子Ｑ５５をＯＮにする。すると、走査電極ＳＣ１〜ＳＣ１０８０はスイッチング素子Ｑ５５を通して電位Ｖｓの電源へ接続されるため、走査電極ＳＣ１〜ＳＣ１０８０は電位Ｖｓにクランプされる。
【００９９】
走査電極ＳＣ１〜ＳＣ１０８０が電位Ｖｓにクランプされると、書込み放電を起こした放電セルでは走査電極ＳＣ１〜ＳＣ１０８０と維持電極ＳＵ１〜ＳＵ１０８０との間の電位差が放電開始電圧を超え、維持放電が発生する。
【０１００】
なお期間Ｔ３および期間Ｔ４の間に、必要に応じて維持電極ＳＵ１〜ＳＵ１０８０のいずれかに消去電位Ｖｂを与えることができる。例えば維持電極ＳＵｉに維持パルス電位Ｖｂを与えるには、維持周期Ｔｓ２の時刻ｔ３ｃにおいてスイッチング素子Ｑ９７ＨｉをＯＦＦにし、スイッチング素子Ｑ９７ＬｉをＯＮにすればよい。そして時刻ｔ４ｃにおいてスイッチング素子Ｑ９７ＨｉをＯＮに戻し、スイッチング素子Ｑ９７ＬｉをＯＦＦに戻す。
【０１０１】
以上、期間Ｔ１から期間Ｔ６に示した動作を繰り返すことにより、表示期間において表示電極対に維持パルスを与える。なおスイッチング素子Ｑ５１は時刻ｔ６以降、次の維持周期の時刻ｔ１までにＯＦＦすればよく、スイッチング素子Ｑ５２は時刻ｔ２以降、時刻ｔ５までにＯＦＦすればよい。またスイッチング素子Ｑ６１は時刻ｔ３以降、時刻ｔ４までにＯＦＦすればよく、スイッチング素子Ｑ６２は時刻ｔ５以降、次の維持周期の時刻ｔ２までにＯＦＦすればよい。また、維持パルス発生回路５０、６０の出力インピーダンスを下げるために、スイッチング素子Ｑ５５は次の維持周期の時刻ｔ１直前に、スイッチング素子Ｑ５６は時刻ｔ５直前に、スイッチング素子Ｑ６５は時刻ｔ４直前に、スイッチング素子Ｑ６６は次の維持周期の時刻ｔ２直前にそれぞれＯＦＦにすることが望ましい。
【０１０２】
なお本実施の形態においては、ＰＤＰ１０の上半分に位置する表示電極対を第１の表示電極対グループとし、ＰＤＰ１０の下半分に位置する表示電極対を第２の表示電極対グループとして説明した。しかしながら表示電極対グループのグルーピングの方法はこれに限定するものではない。例えば、奇数ラインの走査電極ＳＣ１、ＳＣ３、・・・、ＳＣ２１５９、および奇数ラインの維持電極ＳＵ１、ＳＵ３、・・・、ＳＵ２１５９を第１の表示電極対グループとし、偶数ラインの走査電極ＳＣ２、ＳＣ４、・・・、ＳＣ２１６０、および偶数ラインの維持電極ＳＵ２、ＳＵ４、・・・、ＳＵ２１６０を第２の表示電極対グループとしても、本発明を適用することができる。
【０１０３】
なお本実施の形態においては、全ての表示電極対を２つの表示電極対グループに分けた場合について説明したが、全ての表示電極対を３つ以上の表示電極対グループに分けても本発明を適用することができる。以下の実施の形態２では、表示電極対を４つの表示電極対グループに分けた場合の一例について説明する。
【０１０４】
（実施の形態２）
図９は、本発明の実施の形態２におけるＰＤＰ１０の電極配列図である。この図９に示すＰＤＰ１０は、実施の形態１におけるＰＤＰ１０と同様の構成である。
【０１０５】
本実施の形態２においては、ＰＤＰ１０の最も上に位置する表示電極対から順に、第１の表示電極対グループ、第２の表示電極対グループ、第３の表示電極対グループ、第４の表示電極対グループとしている。すなわち、５４０本の走査電極ＳＣ１〜ＳＣ５４０（第１の走査電極グループｇ１ｓｃ）および５４０本の維持電極ＳＵ１〜ＳＵ５４０（第１の維持電極グループｇ１ｓｕ）が第１の表示電極対グループに属し、５４０本の走査電極ＳＣ５４１〜ＳＣ１０８０（第２の走査電極グループｇ２ｓｃ）および５４０本の維持電極ＳＵ５４１〜ＳＵ１０８０（第２の維持電極グループｇ２ｓｕ）が第２の表示電極対グループに属し、５４０本の走査電極ＳＣ１０８１〜ＳＣ１６２０（第３の走査電極グループｇ３ｓｃ）および５４０本の維持電極ＳＵ１０８１〜ＳＵ１６２０（第３の維持電極グループｇ３ｓｕ）が第３の表示電極対グループに属し、５４０本の走査電極ＳＣ１６２１〜ＳＣ２１６０（第４の走査電極グループｇ４ｓｃ）および５４０本の維持電極ＳＵ１６２１〜ＳＵ２１６０（第４の維持電極グループｇ４ｓｕ）が第４の表示電極対グループに属している。
【０１０６】
次に、本実施の形態２におけるＰＤＰの駆動方法について説明する。このＰＤＰの駆動方法は、本実施の形態２においても実施の形態１同様、プラズマディスプレイ装置の動作として遂行される。
【０１０７】
図１０は、本発明の実施の形態２におけるＰＤＰ１０の走査電極に与える駆動電位信号波形の拡大図であり、表示期間の最初に走査電極ＳＣ１、ＳＣ２、ＳＣ５４１、ＳＣ５４２、ＳＣ１０８１、ＳＣ１０８２、ＳＣ１６２１、ＳＣ１６２２およびデータ電極Ｄ１〜Ｄｍに与える駆動電位信号波形の詳細を示している。また、図１１は、本発明の実施の形態２において、１フィールド期間における各ラインに対する書込み動作及び消去動作を行う大凡のタイミングを模式的に示す図である。図１１において、縦軸は、各ラインの表示電極対を代表する走査電極ＳＣ１〜ＳＣ２１６０を示し、横軸は時間を示し、図５と同様、表示期間において、書込み動作を行うタイミング（本実施の形態では、走査電極に走査電位Ｖａを与えるタイミング）を太い実線で示し、消去動作を行うタイミング（本実施の形態では、維持電極に消去電位Ｖｂ（図３等参照）を与えるタイミング）を破線で示している。
【０１０８】
本実施の形態２においても実施の形態１と同様、全ての放電セルで一斉に初期化放電を行う初期化期間が１フィールド期間の最初に設けられ、初期化期間の後に表示期間が設けられる。本実施の形態２における駆動方法が実施の形態１と異なるところは、表示電極対を４つの表示電極対グループに分け、これら各々のグループに属する表示電極対に表示期間に与える維持パルス列の位相を、グループ間でそれぞれ９０度ずつずらし、維持パルス列の位相が進んでいる順にグループを選択し、選択したグループに対し２つのラインずつ書込み動作を行うようにしている点である。
【０１０９】
本実施の形態では、表示期間において、第１の表示電極対グループに属する走査電極ＳＣ１〜ＳＣ５４０に与える維持パルス列に対して位相が９０度遅れた維持パルス列を第２の表示電極対グループに属する走査電極ＳＣ５４１〜ＳＣ１０８０に与え、第１の表示電極対グループに属する走査電極ＳＣ１〜ＳＣ５４０に与える維持パルス列に対して位相が１８０度遅れた維持パルス列を第３の表示電極対グループに属する走査電極ＳＣ１０８１〜ＳＣ１６２０に与え、第１の表示電極対グループに属する走査電極ＳＣ１〜ＳＣ５４０に与える維持パルス列に対して位相が２７０度遅れた維持パルス列を第４の表示電極対グループに属する走査電極ＳＣ１６２１〜ＳＣ２１６０に与える。
【０１１０】
なお、実施の形態１の場合と同様、維持電極には、同じ表示電極対グループに属する走査電極に与える維持パルス列とは位相が１８０度ずれた維持パルス列を与える。したがって、第１の表示電極対グループに属する維持電極ＳＵ１〜ＳＵ５４０に与える維持パルス列に対して位相が９０度遅れた維持パルス列を第２の表示電極対グループに属する維持電極ＳＵ５４１〜ＳＵ１０８０に与え、第１の表示電極対グループに属する維持電極ＳＵ１〜ＳＵ５４０に与える維持パルス列に対して位相が１８０度遅れた維持パルス列を第３の表示電極対グループに属する維持電極ＳＵ１０８１〜ＳＵ１６２０に与え、第１の表示電極対グループに属する維持電極ＳＵ１〜ＳＵ５４０に与える維持パルス列に対して位相が２７０度遅れた維持パルス列を第４の表示電極対グループに属する維持電極ＳＵ１６２１〜ＳＵ２１６０に与える。
【０１１１】
実施の形態１において、図８の維持周期Ｔｓ１の期間Ｔ３のところで説明したように、走査電位Ｖａは、表示電極対において、走査電極の電位が０（Ｖ）に、維持電極の電位が維持パルス電位Ｖｓに保たれているときに所望の走査電極に与えられる。一方、維持パルスには立上り時間、立下り時間が存在するため、実施の形態１においては図４の期間Ａに示すように、走査電位Ｖａをいずれの走査電極にも与えることができない時間が存在する。そしてこの時間には書込み動作を行えないので全てのラインに対して書込み動作を行うために必要な時間が長くなる。
【０１１２】
これに対し、実施の形態２においては、図１０に示したように、走査電極の電位が０（Ｖ）に、維持電極の電位が維持パルス電位Ｖｓに保たれている表示電極対が常に存在するため、連続して書込み動作を行うことができ、全てのラインに対して書込み動作を行うために必要な時間をさらに短縮することができる。
【０１１３】
本実施の形態２では、各表示電極対グループに対し、２組の表示電極対（２つのライン）ずつ、順番に書込み動作が行われる。第１の表示電極対グループに属する２組の表示電極対に対応する２つのラインに対する書込み動作を行い、次に、第２の表示電極対グループに属する２組の表示電極対に対応する２つのラインに対する書込み動作を行い、次に、第３の表示電極対グループに属する２組の表示電極対に対応する２つのラインに対する書込み動作を行い、次に、第４の表示電極対グループに属する２組の表示電極対に対応する２つのラインに対する書込み動作を行う。そしてこの動作を繰り返して全てのラインに対する書込み動作を行うようにしている。
【０１１４】
本実施の形態２では、上述したように、全ての表示電極対で書込み動作を行うために必要な時間を、実施の形態１における同時間の約１／２に短縮することができる。したがって、実施の形態１の場合に対し、より超高精細度パネルであっても、維持放電させるための時間を十分に確保することができ、十分な輝度で駆動させることができる。
【０１１５】
本実施の形態２におけるプラズマディスプレイ装置は図６と同様のブロック図で示されるが、前述の駆動方法を遂行できるように、駆動装置の各回路（４１〜４４）を構成すればよい。
【０１１６】
例えば、表示電極対駆動回路４３は、実施の形態１の場合には、図７に示されるように、維持パルス発生回路５０と初期化波形発生回路７０と走査パルス発生回路９１と消去パルス発生回路９２とからなる第１の維持走査電極駆動回路と、維持パルス発生回路６０と初期化波形発生回路８０と走査パルス発生回路９６と消去パルス発生回路９７とからなる第２の維持走査駆動回路とを備えている。これに対し、本実施の形態２の場合には、上記第１、第２の維持走査電極駆動回路と同様の維持走査電極駆動回路を４つ備えた構成とし、各維持走査電極駆動回路では、同じ位相の維持パルス列を与える走査電極と維持電極とを駆動するようにすればよい。すなわち、４つの維持走査電極駆動回路を第１〜第４の維持走査電極駆動回路とすれば、第１の維持走査電極駆動回路で、第１の表示電極対グループに属する走査電極ＳＣ１〜ＳＣ５４０と第３の表示電極対グループに属する維持電極ＳＵ１０８１〜ＳＵ１６２０とを駆動するように構成し、第２の維持走査電極駆動回路で、第２の表示電極対グループに属する走査電極ＳＣ５４１〜ＳＣ１０８０と第４の表示電極対グループに属する維持電極ＳＵ１６２１〜ＳＵ２１６０とを駆動するように構成し、第３の維持走査電極駆動回路で、第３の表示電極対グループに属する走査電極ＳＣ１０８１〜ＳＣ１６２０と第１の表示電極対グループに属する維持電極ＳＵ１〜ＳＵ５４０とを駆動するように構成し、第４の維持走査電極駆動回路で、第４の表示電極対グループに属する走査電極ＳＣ１６２１〜ＳＣ２１６０と第２の表示電極対グループに属する維持電極ＳＵ５４１〜ＳＵ１０８０とを駆動するように構成すればよい。
【０１１７】
なお本実施の形態２においても、表示電極対グループのグルーピングの方法は上述の方法に限定するものではない。例えば、（４ｐ＋１）ライン（ｐ＝０，１，２，・・・）の走査電極ＳＣ１、ＳＣ５、・・・、ＳＣ２１５７、および維持電極ＳＵ１、ＳＵ５、・・・、ＳＵ２１５７を第１の表示電極対グループとし、（４ｐ＋２）ラインの走査電極ＳＣ２、ＳＣ６、・・・、ＳＣ２１５８、および維持電極ＳＵ２、ＳＵ６、・・・、ＳＵ２１５８を第２の表示電極対グループとし、（４ｐ＋３）ラインの走査電極ＳＣ３、ＳＣ７、・・・、ＳＣ２１５９、および維持電極ＳＵ３、ＳＵ７、・・・、ＳＵ２１５９を第３の表示電極対グループとし、（４ｐ＋４）ラインの走査電極ＳＣ４、ＳＣ８、・・・、ＳＣ２１６０、および維持電極ＳＵ４、ＳＵ８、・・・、ＳＵ２１６０を第４の表示電極対グループとしても、本発明を適用することができる。
【０１１８】
なお、上記実施の形態１、２において、書込み動作を行う際、表示電極対グループを順番に選択し、選択した表示電極対グループにおける複数（上記例では２つ）のラインに対する書込み動作を行うようにしているが、これに限られない。例えば、選択される各表示電極対グループに対し、１つのラインずつ書込み動作を行うようにすることもできる。
【０１１９】
また、上記実施の形態１、２において、維持放電を停止させるために、維持電極に消去電位Ｖｂを与えるようにしたが、それに代えて、維持電極が電位Ｖｓのときに走査電極に所定の電位、例えば（Ｖｓ−Ｖｂ）の電位の消去電位を与えるようにしてもよい。
【０１２０】
また、上記実施の形態１、２において用いた具体的な各数値は、単に一例を挙げたに過ぎず、ＰＤＰの特性やプラズマディスプレイ装置の仕様等に合わせて、適宜最適な値に設定することが望ましい。
【産業上の利用可能性】
【０１２１】
本発明は、２１６０ライン以上の超高精細度プラズマディスプレイパネルであっても、維持放電させるための時間を十分に確保することができ、十分な輝度で駆動することができるので、プラズマディスプレイパネルの駆動方法及びプラズマディスプレイ装置等として有用である。
【図面の簡単な説明】
【０１２２】
【図１】本発明の実施の形態１に用いるプラズマディスプレイパネルの構造を示す分解斜視図である。
【図２】本発明の実施の形態１に用いるプラズマディスプレイパネルの電極配列図である。
【図３】本発明の実施の形態１におけるプラズマディスプレイパネルの各電極に与える駆動電位信号の波形図である。
【図４】本発明の実施の形態１におけるプラズマディスプレイパネルの走査電極に与える駆動電位信号波形の拡大図である。
【図５】本発明の実施の形態１において、１フィールド期間における各ラインに対する書込み動作及び消去動作を行う大凡のタイミングを模式的に示す図である。
【図６】本発明の実施の形態１におけるプラズマディスプレイ装置の構成を示すブロック図である。
【図７】本発明の実施の形態１におけるプラズマディスプレイ装置の表示電極対駆動回路の回路図である。
【図８】本発明の実施の形態１における表示電極対駆動回路の動作を示すタイミングチャートである。
【図９】本発明の実施の形態２に用いるプラズマディスプレイパネルの電極配列図である。
【図１０】本発明の実施の形態２におけるプラズマディスプレイパネルの走査電極に与える駆動電位信号波形の拡大図である。
【図１１】本発明の実施の形態２において、１フィールド期間における各ラインに対する書込み動作及び消去動作を行う大凡のタイミングを模式的に示す図である。
【符号の説明】
【０１２３】
１０    プラズマディスプレイパネル
２２    走査電極
２３    維持電極
２４    表示電極対
３２    データ電極
４２    データ電極駆動回路
４３    表示電極対駆動回路
４４    タイミング発生回路
１００    プラズマディスプレイ装置
【図１】
2009175532.tif 000003
【図２】
2009175532.tif 000004
【図３】
2009175532.tif 000005
【図４】
2009175532.tif 000006
【図５】
2009175532.tif 000007
【図６】
2009175532.tif 000008
【図７】
2009175532.tif 000009
【図８】
2009175532.tif 000010
【図９】
2009175532.tif 000011
【図１０】
2009175532.tif 000012
【図１１】
2009175532.tif 000013